(57)【要約】【課題】  車両の座席に取り付け、取り外しできるペット用の座席で、所望の高さに設置することができ、小型のペットの輸送に適したもので、コンパクトに折りたたみ収納することが可能なペット用座席を提供する。【解決手段】  基板２と、基板２に所定の角度で取り付けた竪板３と、竪板３に備えた位置調節手段４とを備える。また、ペット用座席は、少なくとも三方に上り縁５を有する基板２と、基板２に折りたたみ収納が可能なように取り付けた竪板３と、基板２と竪板３間の角度保持手段８と、基板２に設けた位置調節手段４とを備える。【選択図】      図１
0003123744.tif 000002
【実用新案登録請求の範囲】
【請求項１】
基板と、該基板に所定の角度で取り付けた竪板と、該竪板に備えた位置調節手段とを有することを特徴とするペット用座席。
【請求項２】
少なくとも三方に上り縁を有する基板と、該基板に折りたたみ収納が可能なように取り付けた竪板と、該基板と竪板間の角度保持手段と、該竪板に設けた位置調節手段とを備えたことを特徴とするペット用座席。
【請求項３】
前記竪板が、基板の１辺に２つに分割して形成されたことを特徴とする請求項１又は２に記載のペット用座席。
【請求項４】
前記角度保持手段が、中間部で折りたたみ可能に軸支した部材の両端を竪板と基板とに支持したことを特徴とする請求項１乃至３のいずれかに記載のペット用座席。
【請求項５】
前記角度保持手段が、ベルト、紐、鎖又はワイヤのいずれかであることを特徴とする請求項１乃至４のいずれかに記載のペット用座席。
【請求項６】
前記位置調節手段が、伸縮可能に構成したベルト、紐、鎖又はワイヤのいずれかであることを特徴とする請求項１乃至３のいずれかに記載のペット用座席。
【請求項７】
前記位置調節手段が、伸縮可能に構成した竪板であることを特徴とする請求項１乃至３のいずれかに記載のペット用座席。
【請求項８】
前記位置調節手段が、伸縮可能に構成した竪板の一端に車両座席への鉤型の係止具を備えたことを特徴とする請求項７に記載のペット用座席。
【請求項９】
前記基板に、車両座席への横方向の固定ベルトを備えたことを特徴とする請求項１又は２に記載のペット用座席。
【考案の詳細な説明】
【技術分野】
【０００１】
本考案は、車両の座席に簡単に取り付け、取り外しできるペット用の座席に関し、小型のペットの輸送に適したペット用座席に係るものである。
【背景技術】
【０００２】
最近はペットブームといわれるように、ペットを飼育する人が増加していて、ことに小形犬、猫など小型のペットが好まれる傾向にある。これらのペットは、飼い主の外出時に必然的に飼い主と一緒に自動車で移動する機会が増える。ところが小型のペットは、外部が見えないと不安で落ち着かないが、通常の座席の高さでは低すぎて外部が見えず、不安に駆られて動き回ったり、騒いだり、鳴いたり、吠えたりする。このため、ペットの安全輸送が困難であるだけでなく、ペットの動きにとらわれて飼い主の注意が乱され、安全運転に集中できないため、事故につながりかねない。
【０００３】
従来車両に、ペット用のシートや座席を取り付けるものがある。ところが、従来のペット用の座席は、例えば、ペットの抜け毛、餌、排泄物等により、車内の空間が汚れるのを防ぐものであって、前部座席背面と後部座席の間に架設したシートからなるものであった。この種のものとして、特許文献１には、全体が略シート状であって、シート状の側辺部に折り返し部を有するシート本体と、シート本体に設けられてシート本体を車両等における前部座席の背もたれ部と後部座席の背もたれ部との間にまたがって固定可能な係留ベルトを備え、折り返し部は、係留ベルトに係止可能な係止部を有するもので、前後の座席のヘッドレストに固定されるものが開示されている。
【０００４】
また、特許文献２のように、犬や猫等のペットを収容して車両の座席上に固定可能なペット用車載ケースがあった。このケースは、車内の汚染防止を容易に達成でき、車両の運転やペット自体に対する危険を防止可能なように、ペットが移動して運転に支障をきたさないようにするため、少なくとも底面及び側面を有し、着脱部材により展開、組み立てが可能であってペットを収容する収容箱と、この収容箱を車両の座席上に固定する固定部材を有するものであった。
【０００５】
【特許文献１】特開２００５―３３３８３４号公報（［０００１］、［０００８］〜［０００９］、図１）
【特許文献２】特開２００２―２８１８５４号公報（要約、［０００７］、図１）
【考案の開示】
【考案が解決しようとする課題】
【０００６】
しかしながら、特許文献１のものにあっては、前部座席と後部座席間に架設するものであるため、大型犬などにはよいが、小型のペットと運転者だけでドライブする場合などに問題は解決できない。特許文献２のものにあっては、車の座席の上に載置されるため、やはり大形犬などにはよいが小形犬には位置が低く、小型のペットが不安にかられて動くとその動きによっては運転に影響を及ぼすおそれがある。
【０００７】
本願の考案者は、前記の問題点を解決すべく種々検討を行った結果、車両の座席の背もたれ部分に取り付けることができ、取付け位置の高さが調節可能な、簡単な構造を持ちながら使い勝手のよいペット用座席を考案し、前記の問題点を解消したペット用座席を完成するに至ったものである。
【０００８】
すなわち、本考案は、上述したところに鑑みてなされたものであり、その目的は、車両の座席に取り付け、取り外しできるペット用の座席に関するものであり、所望の高さに設置することができ、小型のペットの輸送に適したペット用座席を提供することにある。
また、本考案の他の目的は、ペット用座席において、コンパクトに折りたたみ収納することが可能なペット用座席を提供することである。
【課題を解決するための手段】
【０００９】
前記課題を解決するために、本願の請求項１に係る考案は、ペット用座席において、基板と、該基板に所定の角度で取り付けた竪板と、該竪板に備えた位置調節手段とを有することを特徴とするものである。
【００１０】
また、前記課題を解決するために、本願の請求項２に係る考案は、ペット用座席において、少なくとも三方に上り縁を有する基板と、該基板に折りたたみ収納が可能なように取り付けた竪板と、該基板と竪板間の角度保持手段と、該竪板に設けた位置調節手段とを備えたことを特徴とするものである。
【００１１】
本願の請求項３に係る考案は、請求項１及び２に記載のペット用座席において、前記竪板が、基板の１辺に２つに分割して形成されたことを特徴とするものである。
【００１２】
また、本願の請求項４に係る考案は、請求項１乃至３のいずれかに記載のペット用座席において、前記角度保持手段が、中間部で折りたたみ可能に軸支した板状部材の両端を竪板と基板とに支持したことを特徴とするものである。
【００１３】
また、本願の請求項５に係る考案は、請求項１乃至４のいずれかに記載のペット用座席において、前記角度保持手段が、ベルト、紐、鎖又はワイヤのいずれかであることを特徴とするものである。
【００１４】
また、本願の請求項６に係る考案は、請求項１乃至３のいずれかに記載のペット用座席において、前記位置調節手段が、伸縮可能に構成したベルト、紐、鎖又はワイヤのいずれかであることを特徴とするものである。
【００１５】
また、本願の請求項７に係る考案は、請求項１乃至３のいずれかに記載のペット用座席において、前記位置調節手段が、伸縮可能に構成した竪板であることを特徴とするものである。
【００１６】
また、本願の請求項８に係る考案は、請求項７に記載のペット用座席において、前記位置調節手段が、伸縮可能に構成した竪板の一端に車両座席への鉤型の係止具を備えたことを特徴とするものである。
【００１７】
また、本願の請求項９に係る考案は、請求項１又は２に記載のペット用座席において、前記基板に、車両座席への横方向の固定ベルトを備えたことを特徴とするものである。
【考案の効果】
【００１８】
本考案によれば、請求項１の考案は、ペット用座席において、基板と、基板に所定の角度で取り付けた竪板と、竪板に備えた位置調節手段とを有するもので、簡単な構造であっても、ペットが落ち着いて静かにしているため、運転手が安全運転できるペット用の座席を提供することができる。
【００１９】
また、請求項２に係る考案によれば、ペット用座席において、少なくとも三方に上り縁を有する基板と、基板に折りたたみ収納が可能なように取り付けた竪板と、基板と竪板間の角度保持手段と、基板に設けた位置調節手段とを備えたので、上り縁によりペットが座席から落ちることがなく、また竪板が基板に折りたたみ収納が可能なように取り付けられているため、不使用時にはコンパクトにしまっておくことができる。
【００２０】
また、請求項３に係る考案によれば、竪板が、基板の１辺に２つに分割して形成されたことにより、軽量化を図ることができ、同時にまた個別に扱うので、取り扱いが容易で丈夫なものが得られる。
【００２１】
また、請求項４に係る考案によれば、角度保持手段が、中間部で折りたたみ可能に軸支した硬い部材の両端を竪板と基板とに支持したものであり、確実に基板と竪板の角度を保つので、基板が傾いたりすることがなく安定に車で移動できる利点がある。
【００２２】
また、請求項５に係る考案によれば、角度保持手段が、ベルト、紐、鎖又はワイヤのいずれかであることにより、ペット用座席の軽量化を図ることができる。
【００２３】
また、請求項６に係る考案によれば、位置調節手段が、伸縮可能に構成したベルト、紐、鎖又はワイヤのいずれかであることを特徴とするものであり、ペット用座席の位置調節を所望の位置に調節できるとともに、座席を軽量に構成できる。位置調節手段の端部に結合具を設けると、取り扱いがより簡単である。
【００２４】
また、請求項７に係る考案によれば、位置調節手段が、伸縮可能に構成した竪板であることによって、ペット用座席を安定に保持することができ、基板が傾いたりすることがなく安定に車で移動できる利点がある。
【００２５】
また、請求項８に係る考案によれば、ペット用座席の位置調節手段が、伸縮可能に構成した竪板の一端に鉤型の係止具を備えたものであるので、簡単にペット用座席の位置調節が行なえるとともに、ペット用座席の車輌の座席への取り付けも簡単である。
【００２６】
また、請求項９に係る考案によれば、ペット用座席の基板に固定ベルトを備えたものであるので、この固定ベルトによってペット用座席を車両の座席に固定することができるので、ペット用座席が安定に保持され、衝撃によって振れたりすることがなく、輸送されるペットの安全を確保することができる。
【考案を実施するための最良の形態】
【００２７】
以下、本考案の具体例を実施例及び図面を参照して詳細に説明する。ただし、以下に示すのは本考案の技術思想を具体化するための例を例示するものであって、本考案をこの実施例に特定することを意図するものではなく、その要旨を逸脱しない範囲において種々変更可能であり、実用新案登録請求の範囲に含まれる変更例に等しく適用し得るものである。
【００２８】
図１は本考案に係るペット用座席の１実施例の斜視図であり、図２は本考案に係るペット用座席の使用状況を示す説明図である。図３は本考案に係るペット用座席の他の実施例の斜視図であり、図４はさらに他の実施例の斜視図である。図５は竪板を伸縮自在に構成した一実施例を示す斜視図である。図６は本考案にかかるペット用座席の別の実施例側面図である。
【実施例】
【００２９】
図１には、本考案のペット用座席の一実施例を示している。すなわち、ペット用座席１として図１に示したものは、基板２と、基板２に所定の角度で取り付けた竪板３と、竪板に備えた位置調節手段４とを有するものである。基板２にはその三辺に枠を形成するように比較的浅い上り縁５が形成され、残りの一辺には一枚の竪板３が蝶番９で折りたたみ可能に取り付けてある。竪板３は、丁度基板２の枠内に入るように寸法等が定められているので、畳むとコンパクトになり、収納や携帯に便利になされている。位置調節手段４は、この実施例では竪板３に設けた位置調節孔６に通した紐７であり、自動車の座席のヘッドレストに紐７を引っ掛けて結び、紐７の長さを調節することによってペット用座席１の高さ位置を決めることができる。基板２と竪板３とは角度を保持するためワイヤ８ａでつながれ、所定の角度、この場合は９０度になるよう固定されている。
【００３０】
図２は、図１のペット用座席１の使用状況を示すものであり、ペット用座席１が自動車の座席のヘッドレストに位置調節手段４の紐７を引っ掛けて結ばれ、紐７の長さを調節することによってペット用座席の高さ位置を設定することができる。高さを調節することによって、小型犬などの場合、その目線が運転者（飼い主）と略同じ高さになり、車外が見えるようになると安心し、落ち着いて静かにしているため、運転手は安全運転することができる。また、ペット用座席１は、その基板２の下部に逆Ｔ字型のベルト１０をつけて助手席の背もたれにまわし、ベルトの横帯の両端を結合して固定すると、衝撃などによりペット用座席が振れたりすることがなく、より安定となり安全である。
【００３１】
図３は本考案に係るペット用座席１の他の実施例の斜視図であり、ペット用座席１において、少なくとも三方に浅い上り縁５を有する基板２と、基板２に折りたたみ収納が可能なように蝶番などで取り付けた竪板３と、基板２と竪板３間の角度保持手段８と、基板２に設けた位置調節手段４とを備えたものである。竪板３は、基板２の１辺に２つに分割して形成されている。竪板３が、基板２の１辺に２つに分割して形成されたことにより、軽量化を図ることができ、また竪板３を個別に扱うので、取り扱いが容易で丈夫なものが得られる。角度保持手段８はこの場合チェイン８ｂである。チェインの場合の利点は、どの部分でも屈曲できることと、任意の場所で鎖の輪をかぎ型の係止具に簡単に引っ掛けることができ、その長さが調節できることである。角度保持手段８は、帯、紐、鎖又はワイヤなどで形成され、その場合には座席の軽量化を図ることができる。
【００３２】
また、図４にペット用座席１のさらに他の実施例を示した。この実施例は、ペット用座席１において、少なくとも三方に上り縁５を有する基板２と、基板２に折りたたみ収納が可能なように取り付けた竪板３と、基板２と竪板３間の角度保持手段８と、基板２に設けた位置調節手段４とを備えている。竪板３は、基板２の１辺に２つに分割して形成されており、その一端は基板に蝶番などで結合され、他端にそれぞれ一端を軸支されている延長板３ａを、矢印ａのように回転させることによって延長できる。竪板３が長いとペット用座席１の支持が安定する。また、角度保持手段８が、その中間部で折りたたみ可能に軸支した金属板などの硬い板状の部材の両端を、一端は基板２に軸支し他端は形成した切込みにより竪板３に係止したものである。硬い部材の角度保持手段８は、紐やチェインなどのようにたわむことなく確実に基板２と竪板３の角度を保つので、基板２が傾いたりすることがなく安定に車で移動できる。
【００３３】
図５の実施例は、ペット用座席１の位置調節手段４が、竪板３１から摺動により伸縮可能に構成した延長部材３２、３３の一端に鉤型の係止具３４を備えたものである。伸縮する長さは図示しない螺子などによって何段かに調節できるように成されており、図のものは３段に延長可能で、各段はさらに調節でき、簡単にペット用座席１の位置調節が行なえる。また、３段目の延長部材３３の上端には鉤型の保持具３４が設けてあり、鉤型の保持具３４によって車の座席の肩部分に簡単に取り付けできる。かかる竪板３１，３２，３３によればペット用座席１を安定に保持することができ、基板２が傾いたりすることがなく、安定に車で移動できる利点がある。
【００３４】
図６の実施例は、竪板３の下端が基板２に着脱できるようになされていて、螺子などで固定できるように形成されたものである。角度保持手段８の一端付近に設けられた溝８１が基板２の上縁５に摺動可能に取り付けられ、角度保持手段８の他端には竪板３が回転可能に軸支されている。折りたたまれていた角度保持手段８と竪板３を引き出し、竪板３を矢印ｃのように回転させて竪板３の一端に設けた係止め部分３５を基板２に当てて、図示しない螺子などで固定する。折りたたむときは、螺子を外して矢印ｄのように反対方向に回転させ、角度保持手段８とともに折りたたんで基板２の中に収容すればよい。
【００３５】
位置調節手段４は、長さを調節可能に構成したベルト、紐、鎖又はワイヤなどで形成できる。例えば、竪板３の一端に環状の連結具を介して取り付けたコ字型のベルトであり、長さを調節することによって、ペット用座席１の位置を車の座席の所望の位置に調節できる。これらのものによれば、ペット用座席を軽量に構成できる。
【００３６】
以上の実施例では、位置調節手段４によるペット用座席１のヘッドレストへの取付けについて述べたが、図２に示したように、ペット用座席１の下部にもベルト１０を設け、逆Ｔの字にして横帯の両端を結合して車両座席に締め付けるようにしてもよい。ベルト１０は基板２に取り付けた横帯でもよい。横帯の両端はバックルなどにより簡単に結合できるようにする。かくすることによって、横方向のより安定したペット用座席の保持が可能となり、ペットの安全によい。また、竪板に図示しない係留ベルトを設けてペットの体を確保すれば、ペットの跳び出しなどが無くなり、安全に輸送することができる。
【００３７】
ペット用座席１には、クッションやシートなどペットの汚物や排出物を収容吸収するものや寝具などを乗せてペットの居心地を改善することができる。
【００３８】
また、本考案のペット用座席において、基板と竪板は、その素材は木材でも、あるいは金属またはプラスチックであっても差し支えない。木材で製作した場合には、環境保護に適し、座席を利用する小動物にもなじみやすく、また、金属またはプラスチックであれば、簡単に所望の形態が得られかつ安価に製作でき，清潔な衛生状態の維持に適するものが得られる。
【００３９】
本考案によれば、車の座席の高い位置にペット用座席を確保でき、しかもペット用座席は開放的であるので、身体の小さな小型ペットも車外の状況を見ることができるためおとなしくしている。したがって、運転者もペットに気を取られないで運転することができ安全輸送に適する。本考案のペット用座席は、竪板などを基板内に折りたたんでコンパクトに収容できるから、携帯に便利であり、車のトランクに入れても場所をとらない。
【００４０】
以上には、ペット用座席のいくつかの例を説明したが、本考案が各種の変形例を構成することが可能であることは言うまでもない。
【図面の簡単な説明】
【００４１】
【図１】図１は、本考案に係るペット用座席の１実施例の斜視図である。
【図２】図２は、本考案に係るペット用座席の使用状況を示す説明図である。
【図３】図３は、本考案に係るペット用座席の他の実施例の斜視図である。
【図４】図４は、本考案に係るペット用座席のさらに他の実施例の斜視図である。
【図５】図５は、伸縮自在に構成した竪板の一実施例を示す斜視図である。
【図６】図６は、本考案にかかるペット用座席の他の実施例の側面図である。
【符号の説明】
【００４２】
１      ペット用座席
２      基板
３      竪板
４      位置調節手段
５      上り縁
６      位置調節孔
７      紐
８      角度保持手段
８ａ    ワイヤ
９      蝶番
【図１】
0003123744.tif 000003
【図２】
0003123744.tif 000004
【図３】
0003123744.tif 000005
【図４】
0003123744.tif 000006
【図５】
0003123744.tif 000007
【図６】
0003123744.tif 000008